(57)【要約】      （修正有）【課題】ホスト端末のデータインターフェースの利用率を向上させるインターフェース変換回路を提供する。【解決手段】回路は第１の回路基板と第２の回路基板に設けられ、第１の回路基板にはＴｙｐｅ−Ｃインターフェースとプロトコル構成チップとＨＵＢモジュールとビデオインターフェースモジュールとＵＳＢインターフェースモジュールとネットワークインターフェースモジュールが設けられ、第２の回路基板には電源モジュールが設けられ、Ｔｙｐｅ−ＣインターフェースはそれぞれＨＵＢモジュールとビデオインターフェースモジュールとプロトコル構成チップに接続され、ＨＵＢモジュールはそれぞれＵＳＢインターフェースモジュールとプロトコル構成チップとネットワークインターフェースモジュールに接続され、ビデオインターフェースモジュールはプロトコル構成チップに接続され、電源モジュールがＴｙｐｅ−Ｃインターフェースに接続される。【選択図】図１
0003229746.tif 000002
【実用新案登録請求の範囲】
【請求項１】
インターフェース変換回路であって、第１の回路基板と第２の回路基板に設けられ、前記第１の回路基板にはＴｙｐｅ−Ｃインターフェースと、プロトコル構成チップと、ＨＵＢモジュールと、ビデオインターフェースモジュールと、ＵＳＢインターフェースモジュールと、ネットワークインターフェースモジュールが設けられ、前記第２の回路基板には電源モジュールが設けられ、前記Ｔｙｐｅ−Ｃインターフェースはそれぞれ前記ＨＵＢモジュールと、前記ビデオインターフェースモジュールと、前記プロトコル構成チップに接続され、前記ＨＵＢモジュールはそれぞれ前記ＵＳＢインターフェースモジュールと、前記プロトコル構成チップと、前記ネットワークインターフェースモジュールに接続され、前記ビデオインターフェースモジュールは前記プロトコル構成チップに接続され、前記電源モジュールが前記Ｔｙｐｅ−Ｃインターフェースと、前記プロトコル構成チップと、前記ＨＵＢモジュールと、前記ネットワークインターフェースモジュールに電気的に接続されるように前記第１の回路基板は前記第２の回路基板に電気的に接続されることを特徴とするインターフェース変換回路。
【請求項２】
前記ビデオインターフェースモジュールはＨＤＭＩ変換チップとＨＤＭＩインターフェースを含み、前記Ｔｙｐｅ−Ｃインターフェースから出力されたＤＰ信号をＨＤＭＩ信号に変換して出力することを特徴とする請求項１に記載のインターフェース変換回路。
【請求項３】
前記ネットワークインターフェースモジュールはネットワークインターフェース変換チップとネットワークインターフェースを含み、前記ネットワークインターフェース変換チップは前記ＨＵＢモジュールと前記ネットワークインターフェースの間に接続され、前記ＨＵＢモジュールから出力されたＵＳＢ信号をネットワーク信号に変換して前記ネットワークインターフェースを介して出力することを特徴とする請求項１に記載のインターフェース変換回路。
【請求項４】
前記ＵＳＢインターフェースモジュールはＵＳＢハブチップとＵＳＢインターフェース群を含み、前記ＵＳＢハブチップは前記ＨＵＢモジュールと前記ＵＳＢインターフェースの間に接続され、ＵＳＢインターフェースの拡張に適用されることを特徴とする請求項１に記載のインターフェース変換回路。
【請求項５】
前記ＵＳＢインターフェースモジュールはＵＳＢ３．０インターフェース及び／又はＵＳＢ２．０インターフェースを含むことを特徴とする請求項１に記載のインターフェース変換回路。
【請求項６】
前記電源モジュールの入力端は前記Ｔｙｐｅ−Ｃインターフェースの電源端に接続され、前記電源モジュールは前記ビデオインターフェースモジュールに第１の電源電圧を供給するための第１の電圧変換モジュールと前記ネットワークインターフェースモジュールに第２の電源電圧を供給するための第２の電圧変換モジュールを含むことを特徴とする請求項１に記載のインターフェース変換回路。
【請求項７】
前記第１の電源電圧は前記第２の電源電圧よりも大きいことを特徴とする請求項１に記載のインターフェース変換回路。
【請求項８】
前記第１の回路基板と前記第２の回路基板は積層されて設置されることを特徴とする請求項１に記載のインターフェース変換回路。
【請求項９】
インターフェース変換装置であって、ハウジング及び前記ハウジングに設けられる、請求項１から８のいずれか一項に記載のインターフェース変換回路を含むことを特徴とするインターフェース変換装置。
【考案の詳細な説明】
【技術分野】
【０００１】
本考案は、電子技術の分野に属し、特にインターフェース変換回路及び装置に関する。
【背景技術】
【０００２】
現在、端末装置（例えば、コンピュータ、携帯電話、タブレットコンピュータなど）は、継続的な普及に伴い、種類も増加しており、人々の日常生活に既に不可欠なものとなっている。
【０００３】
従来の端末装置は、それ自体のサイズや機能の制限により、その出力インターフェースの数と種類が限られており、外部の他の装置にデータを伝送したり、機能を拡張したりする場合、インターフェースのタイプの互換性がなく又はインターフェースの数が限られているため、資源の浪費を引き起こし、よって端末装置が制限されていた。
【考案の概要】
【考案が解決しようとする課題】
【０００４】
従来の技術的解決手段では、インターフェースの利用率が低いという問題が存在する。
【課題を解決するための手段】
【０００５】
本考案の目的は、インターフェース変換回路を提供し、従来の技術的解決手段におけるインターフェースの利用率が低いという問題を解決することである。
【０００６】
本考案の実施例によれば、インターフェース変換回路を提供し、前記インターフェース変換回路は第１の回路基板と第２の回路基板に設けられ、前記第１の回路基板にはＴｙｐｅ−Ｃインターフェースと、プロトコル構成チップと、ＨＵＢモジュールと、ビデオインターフェースモジュールと、ＵＳＢインターフェースモジュールと、ネットワークインターフェースモジュールが設けられ、前記第２の回路基板には電源モジュールが設けられ、前記Ｔｙｐｅ−Ｃインターフェースはそれぞれ前記ＨＵＢモジュールと、前記ビデオインターフェースモジュールと、前記プロトコル構成チップに接続され、前記ＨＵＢモジュールはそれぞれ前記ＵＳＢインターフェースモジュールと、前記プロトコル構成チップと、前記ネットワークインターフェースモジュールに接続され、前記ビデオインターフェースモジュールは前記プロトコル構成チップに接続され、前記電源モジュールが前記Ｔｙｐｅ−Ｃインターフェースと、前記プロトコル構成チップと、前記ＨＵＢモジュールと、前記ネットワークインターフェースモジュールに電気的に接続されるように前記第１の回路基板は前記第２の回路基板に電気的に接続される。
【０００７】
更に、前記ビデオインターフェースモジュールはＨＤＭＩ(登録商標)変換チップとＨＤＭＩインターフェースを含み、前記Ｔｙｐｅ−Ｃインターフェースから出力されたＤＰ信号をＨＤＭＩ信号に変換して出力する。
【０００８】
更に、前記ネットワークインターフェースモジュールはネットワークインターフェース変換チップとネットワークインターフェースを含み、前記ネットワークインターフェース変換チップは前記ＨＵＢモジュールと前記ネットワークインターフェースの間に接続され、前記ＨＵＢモジュールから出力されたＵＳＢ信号をネットワーク信号に変換して前記ネットワークインターフェースを介して出力する。
【０００９】
更に、前記ＵＳＢインターフェースモジュールはＵＳＢハブチップとＵＳＢインターフェース群を含み、前記ＵＳＢハブチップは前記ＨＵＢモジュールと前記ＵＳＢインターフェースの間に接続され、ＵＳＢインターフェースの拡張に適用される。
【００１０】
更に、前記ＵＳＢインターフェースモジュールはＵＳＢ３．０インターフェース及び／又はＵＳＢ２．０インターフェースを含む。
【００１１】
更に、前記電源モジュールの入力端は前記Ｔｙｐｅ−Ｃインターフェースの電源端に接続され、前記電源モジュールは前記ビデオインターフェースモジュールに第１の電源電圧を供給するための第１の電圧変換モジュールと前記ネットワークインターフェースモジュールに第２の電源電圧を供給するための第２の電圧変換モジュールを含む。
【００１２】
更に、前記第１の電源電圧は前記第２の電源電圧よりも大きい。
【００１３】
更に、前記第１の回路基板と前記第２の回路基板は積層されて設置される。
【００１４】
また、ハウジング及び前記ハウジングに設けられる前記インターフェース変換回路を含むインターフェース変換装置を更に提供する。
【考案の効果】
【００１５】
前記インターフェース変換回路及び装置は、第１の回路基板に設置されたＴｙｐｅ−Ｃインターフェースと、プロトコル構成チップと、ＨＵＢモジュールと、ビデオインターフェースモジュールと、ＵＳＢインターフェースモジュールと、ネットワークインターフェースモジュールと、第２の回路基板に設置された電源モジュールにより、ホスト端末のＵＳＢデータ伝送と、ビデオデータ伝送と、ネットワークデータ伝送の複数のデータ伝送経路を形成し、ホスト端末のデータインターフェースの利用率を向上させ、電源モジュールと他のモジュールは電気的に接続される第１の回路基板と第２の回路基板により分岐して設置されることで、放熱性能を向上させ、装置の体積を減少させ、携帯しやすくなる。
【図面の簡単な説明】
【００１６】
【図１】本考案の実施例により提供されるインターフェース変換回路の構成の模式図である。
【図２】本考案の実施例により提供されるインターフェース変換回路の具体的な構成の模式図である。
【考案を実施するための形態】
【００１７】
本考案の目的、技術的解決手段及び利点を更に明確にするために、以下、図面及び実施例を参照しながら本考案を更に詳細に説明する。理解すべきことは、ここで記載される具体的な実施例は、本考案を説明するためのものに過ぎず、本考案を限定するためのものではないことである。
【００１８】
図１は本考案の好ましい実施例により提供されるインターフェース変換装置の構成の模式図を示し、インターフェース変換装置１００は、ホスト端末２００と接続対象となる端末３００との間のインターフェース変換及び拡張に適用され、複数種の変換インターフェースを提供し、第１の回路基板と、第２の回路基板と、第１の回路基板及び第２の回路基板に設置されたインターフェース変換回路とを含む。説明すべきことは、本実施例において、ホスト端末２００は携帯電話やコンピュータやタブレットコンピュータなどの電子機器であってもよく、接続対象となる端末３００は有線接続でホスト端末２００とデータのやり取りを行うことが可能な装置、例えば、コンピュータ、携帯電話又はディスプレイなどの電子機器であることである。
【００１９】
第１の回路基板にはＴｙｐｅ−Ｃインターフェース１０と、プロトコル構成チップ２０と、ＨＵＢモジュール３０と、ビデオインターフェースモジュール５０と、ＵＳＢインターフェースモジュール６０と、ネットワークインターフェースモジュール４０が設けられ、第２の回路基板には電源モジュール７０が設けられ、電源モジュール７０がＴｙｐｅ−Ｃインターフェース１０と、プロトコル構成チップ２０と、ＨＵＢモジュール３０と、ネットワークインターフェースモジュール４０に電気的に接続されるように第１の回路基板は第２の回路基板に電気的に接続され、電源モジュール７０の入力端はＴｙｐｅ−Ｃインターフェース１０の電源端ＶＢＵＳに接続され、プロトコル構成チップ２０と、ＨＵＢモジュール３０と、ネットワークインターフェースモジュール４０に電源を供給し、前記各モジュールに必要な電力を供給する。
【００２０】
Ｔｙｐｅ−Ｃインターフェース１０はＴｙｐｅ−Ｃオス又はＴｙｐｅ−Ｃメスであり、ホスト端末２００に接続するのに用いられ、ホスト端末２００の信号を受信し、Ｔｙｐｅ−Ｃインターフェース１０はそれぞれＨＵＢモジュール３０と、ビデオインターフェースモジュール５０と、プロトコル構成チップ２０に接続される。具体的には、ＨＵＢモジュール３０はＴｙｐｅ−Ｃインターフェース１０から出力されたＵＳＢ信号を受信し、ＵＳＢインターフェースモジュール６０とネットワークインターフェースモジュール４０に出力し、プロトコル構成チップ２０はＴｙｐｅ−Ｃインターフェース１０のＣＣ端に接続され、該ＣＣ端を介してホスト端末２００と通信を行うことで、ホスト端末２００はＴｙｐｅ−Ｃインターフェース１０を介してＤＰ（Ｄｉｓｐｌａｙ  Ｐｏｒｔ）信号を出力し、ビデオインターフェースモジュール５０はホストモジュールから出力されたＤＰ（Ｄｉｓｐｌａｙ  Ｐｏｒｔ）信号を受信する。
【００２１】
図２に示すように、ＨＵＢモジュール３０はＨＵＢチップを含み、本実施例において、ＨＵＢチップにＶＬ８１７−Ｑ７チップを用いて、ＨＵＢモジュール３０はそれぞれＵＳＢインターフェースモジュール６０とネットワークインターフェースモジュール４０に接続され、Ｔｙｐｅ−Ｃインターフェース１０から出力されたＵＳＢ信号をそれぞれネットワークインターフェースモジュール４０とＵＳＢインターフェースモジュール６０に出力する。ネットワークインターフェースモジュール４０はネットワークインターフェース変換チップ４１とネットワークインターフェース４２を含み、ネットワークインターフェース変換チップ４１はＨＵＢモジュール３０とネットワークインターフェース４２の間に接続され、ＨＵＢモジュール３０から出力されたＵＳＢ信号をネットワーク信号に変換してネットワークインターフェース４２を介して出力する。ネットワークインターフェース変換チップ４１としてＲＴＬ８１５３Ｂチップを用いて、ＵＳＢ２．０信号とＵＳＢ３．０信号の入力をサポートし、ネットワークインターフェース４２としてＲＪ４５インターフェースを用いる。
【００２２】
本実施例において、ＵＳＢインターフェースモジュール６０はＵＳＢハブチップ６１とＵＳＢインターフェース群を含み、ＵＳＢハブチップ６１はＨＵＢモジュール３０とＵＳＢインターフェース群の間に接続され、ＵＳＢインターフェースの拡張に適用される。具体的には、ＵＳＢインターフェース群は第１のＵＳＢインターフェース６２と、第２のＵＳＢインターフェース６３と、第３のＵＳＢインターフェース６４を含む。ここで、第１のＵＳＢインターフェース６２と第２のＵＳＢインターフェース６３はいずれもＵＳＢハブチップ６１に接続され、第３のＵＳＢインターフェース６４はＨＵＢモジュール３０に接続される。第１のＵＳＢインターフェース６２はＵＳＢ２．０インターフェース又はＵＳＢ３．０インターフェースであり、第２のＵＳＢインターフェース６３はＵＳＢ２．０インターフェース又はＵＳＢ３．０インターフェースであり、本実施例において、第１のＵＳＢインターフェース６２と第２のＵＳＢインターフェース６３はいずれも第２のＵＳＢインターフェース６３であり、Ｔｙｐｅ−Ｃインターフェース１０から受信するＵＳＢ３．０信号はＨＵＢモジュール３０を介して第１のＵＳＢインターフェース６２と第２のＵＳＢインターフェース６３に伝送され、Ｔｙｐｅ−Ｃインターフェース１０から受信するＵＳＢ２．０信号はまずＨＵＢモジュール３０に伝送され、更にＵＳＢハブチップ６１を介して第１のＵＳＢインターフェース６２と第２のＵＳＢインターフェース６３に伝送される。
【００２３】
ビデオインターフェースモジュール５０はプロトコル構成チップ２０とＴｙｐｅ−Ｃインターフェース１０に接続され、ビデオインターフェースモジュール５０はＨＤＭＩ変換チップ５１とＨＤＭＩインターフェース５２を含み、Ｔｙｐｅ−Ｃインターフェース１０から出力されたＤＰ信号をＨＤＭＩ信号に変換してＨＤＭＩインターフェース５２を介して出力する。プロトコル構成チップ２０はＨＤＭＩ変換チップ５１に接続され、ＨＤＭＩ表示装置が接続されている場合、ＨＤＭＩ変換チップ５１はＨＤＭＩインターフェース５２のホットスワップ信号を検出し、該信号をプロトコル構成チップ２０に送信し、プロトコル構成チップ２０はＴｙｐｅ−Ｃインターフェース１０のＣＣ端を介してホスト端末２００と通信を行うことで、ホスト端末２００はＴｙｐｅ−Ｃインターフェース１０を介してＤＰ（Ｄｉｓｐｌａｙ  Ｐｏｒｔ）信号を出力する。プロトコル構成チップ２０はＨＵＢモジュール３０に接続され、ＨＵＢモジュール３０によりＴｙｐｅ−Ｃインターフェース１０から受信されたオーディオ信号を送信し、ＨＤＭＩ変換チップ５１に伝送するのに用いられる。本実施例において、ＨＤＭＩ変換チップ５１としてＰＳ１７６チップを用いる。
【００２４】
電源モジュール７０の入力端はＴｙｐｅ−Ｃインターフェース１０の電源端に接続され、電源モジュール７０はビデオインターフェースモジュール５０に第１の電源電圧を供給するための第１の電圧変換モジュールとネットワークインターフェースモジュール４０に第２の電源電圧を供給するための第２の電圧変換モジュールを含む。ここで、第１の電源電圧は第２の電源電圧よりも大きい。インターフェース変換回路の放熱性能を向上させるために、電源モジュール７０と他の機能モジュールは、電気的に接続される第１の回路基板と第２の回路基板により分岐して設置される。更に、第１の回路基板と第２の回路基板は積層されて設置され、構造がコンパクトであり、インターフェース変換回路の体積が小さく、携帯しやすい。
【００２５】
以下、図２を参照しながら本考案のインターフェース変換装置１００の動作原理を詳細に説明する。
【００２６】
接続対象となる端末３００がＵＳＢインターフェースモジュール６０を介してインターフェース変換装置１００に接続される場合、ＵＳＢインターフェースモジュール６０と、ＨＵＢモジュール３０と、Ｔｙｐｅ−Ｃインターフェース１０によってデータ伝送経路を構成することで、接続対象となる端末３００は該データ伝送経路を介してホスト端末２００とデータ伝送を行う。
【００２７】
接続対象となる端末３００がネットワークインターフェースモジュール４０を介してインターフェース変換装置１００に接続する場合、ＨＵＢモジュール３０によりホスト端末２００から送信された目標信号を受信し、ネットワークインターフェースモジュール４０におけるネットワークインターフェース変換チップ４１に伝送してモード変換を行い、続いてネットワークインターフェース４２を介して接続対象となる端末３００に送信する。
【００２８】
接続対象となる端末３００がビデオ信号インターフェースを介してインターフェース変換装置１００に接続する場合、ビデオインターフェースモジュール５０におけるＨＤＭＩ変換チップ５１によりホスト端末２００から送信された目標ビデオ信号を受信し、ＨＤＭＩ変換チップ５１を介して目標表示信号に対してモード変換を行い、続いて接続対象となる端末３００に送信して表示を行う。
【００２９】
例えば、接続対象となる端末３００がディスプレイである場合、接続対象となる端末３００はビデオ信号インターフェースを介してインターフェース変換装置１００に接続され、更にホスト端末２００とデータ伝送を行う。ここで、プロトコル構成チップ２０は、接続対象となる端末３００がビデオインターフェースモジュール５０に接続されていると検出した場合、プロトコル構成チップ２０はＴｙｐｅ−Ｃインターフェース１０を介してホスト端末２００に接続対象となる端末３００を説明するための情報を送信する。端末は目標ビデオ信号をＨＤＭＩ変換チップ５１に送信し、ＨＤＭＩ変換チップ５１を介して目標ビデオ信号に対する変換を行う。すなわち、ＤＰ信号をＨＤＭＩ信号に変換し、続いて接続対象となる端末３００に出力して表示する。
【００３０】
以上は本考案の好ましい実施例に過ぎず、本考案を限定するためのものではなく、本考案の趣旨と原則を逸脱することなく行われた、いかなる修正、等価物による変換および改良などは、いずれも本考案の実用新案登録請求の範囲に含まれるべきである。
【図１】
0003229746.tif 000003
【図２】
0003229746.tif 000004
【手続補正書】
【提出日】令和2年9月18日(2020.9.18)
【手続補正１】
【補正対象書類名】実用新案登録請求の範囲
【補正対象項目名】全文
【補正方法】変更
【補正の内容】
【実用新案登録請求の範囲】
【請求項１】
インターフェース変換回路であって、第１の回路基板と第２の回路基板に設けられ、前記第１の回路基板にはＴｙｐｅ−Ｃインターフェースと、プロトコル構成チップと、ＨＵＢモジュールと、ビデオインターフェースモジュールと、ＵＳＢインターフェースモジュールと、ネットワークインターフェースモジュールが設けられ、前記第２の回路基板には電源モジュールが設けられ、前記Ｔｙｐｅ−Ｃインターフェースはそれぞれ前記ＨＵＢモジュールと、前記ビデオインターフェースモジュールと、前記プロトコル構成チップに接続され、前記ＨＵＢモジュールはそれぞれ前記ＵＳＢインターフェースモジュールと、前記プロトコル構成チップと、前記ネットワークインターフェースモジュールに接続され、前記ビデオインターフェースモジュールは前記プロトコル構成チップに接続され、前記電源モジュールが前記Ｔｙｐｅ−Ｃインターフェースと、前記プロトコル構成チップと、前記ＨＵＢモジュールと、前記ネットワークインターフェースモジュールに電気的に接続されるように前記第１の回路基板は前記第２の回路基板に電気的に接続されることを特徴とするインターフェース変換回路。
【請求項２】
前記ビデオインターフェースモジュールはＨＤＭＩ（登録商標）変換チップとＨＤＭＩ（登録商標）インターフェースを含み、前記Ｔｙｐｅ−Ｃインターフェースから出力されたＤＰ信号をＨＤＭＩ（登録商標）信号に変換して出力することを特徴とする請求項１に記載のインターフェース変換回路。
【請求項３】
前記ネットワークインターフェースモジュールはネットワークインターフェース変換チップとネットワークインターフェースを含み、前記ネットワークインターフェース変換チップは前記ＨＵＢモジュールと前記ネットワークインターフェースの間に接続され、前記ＨＵＢモジュールから出力されたＵＳＢ信号をネットワーク信号に変換して前記ネットワークインターフェースを介して出力することを特徴とする請求項１に記載のインターフェース変換回路。
【請求項４】
前記ＵＳＢインターフェースモジュールはＵＳＢハブチップとＵＳＢインターフェース群を含み、前記ＵＳＢハブチップは前記ＨＵＢモジュールと前記ＵＳＢインターフェースの間に接続され、ＵＳＢインターフェースの拡張に適用されることを特徴とする請求項１に記載のインターフェース変換回路。
【請求項５】
前記ＵＳＢインターフェースモジュールはＵＳＢ３．０インターフェース及び／又はＵＳＢ２．０インターフェースを含むことを特徴とする請求項１に記載のインターフェース変換回路。
【請求項６】
前記電源モジュールの入力端は前記Ｔｙｐｅ−Ｃインターフェースの電源端に接続され、前記電源モジュールは前記ビデオインターフェースモジュールに第１の電源電圧を供給するための第１の電圧変換モジュールと前記ネットワークインターフェースモジュールに第２の電源電圧を供給するための第２の電圧変換モジュールを含むことを特徴とする請求項１に記載のインターフェース変換回路。
【請求項７】
前記第１の電源電圧は前記第２の電源電圧よりも大きいことを特徴とする請求項６に記載のインターフェース変換回路。
【請求項８】
前記第１の回路基板と前記第２の回路基板は積層されて設置されることを特徴とする請求項１に記載のインターフェース変換回路。
【請求項９】
インターフェース変換装置であって、ハウジング及び前記ハウジングに設けられる、請求項１から８のいずれか一項に記載のインターフェース変換回路を含むことを特徴とするインターフェース変換装置。